(57)【要約】      （修正有）【課題】水の抵抗を減らす為にフラットな水泳姿勢で体の体積を縮小する締め付け力を得ることが出来かつキック力を損なわない様にした競泳用水着を提供する。。【解決手段】下半身前側の左右両足の大腿筋部の膝上迄の筋肉中心部からその延長上の下腹部迄、及び下半身後ろ側は左右両足の大臀部からハムストリングスの膝上迄の筋肉中心部迄に、横幅２〜７ｃｍに切断した足ベルト１の中心を筋肉の中心に配置し、接着又は縫い合わせて取り付ける。前記足ベルト１は、布地の伸びの大きい方向を横幅方向とする。背中が開いていない背閉じと背中が窓状に開いて周囲が閉じた背開き３を有し肩吊部を有した女子競泳用の水着の場合には、前記肩吊部を横２〜７ｃｍに切断し背中ベルト２を、肩胛骨から背開き３の上側を通し背開き３の下側に到る様に配置し、左右一本ずつ取り付ける事で形成し接着又は縫い合わせて取り付ける。前記背中ベルト２は布地の伸びの大きい方向が縦方向である。【選択図】図９
0003175747.tif 000002
【実用新案登録請求の範囲】
【請求項１】
競泳用水着の布地を幅２〜７ｃｍに伸縮する縦又は横方向で細い短冊状に切断をしてベルト状態にしたものを、泳ぐ時に使う体の必要な各筋肉部分の長さに合わせて切断をし、接着又は縫い合わせて仕立てた競泳用の水着。
【請求項２】
男女の市販水着の左右足部分を共に、（図６）男子用（図８）と女子用の正面図は下腹部の腹筋から膝上迄の大腿筋部を、（図７）男子用と（図９）女子用の背面図は大臀部からハムストリングスの膝上迄を、２〜７ｃｍの幅で切断をし、布地の伸びの大きい方向を横幅に配置した足ベルト（１）を接着又は縫い合わせて仕立てた競泳用の水着
【請求項３】
女子用の市販水着の肩甲骨から腰迄を、２〜７ｃｍの幅で、布地の伸びの大きい方向を縦の長手に配置した背中ベルト（２）を接着又は縫いあわせて仕立てた女子競泳用の水着。
【請求項４】
女子用の市販水着は背中部分が開いた（図４）の背開き（３）タイプがあり、その開いた部分に伸びの大きい方向を縦に切断した背開きベルト（５）を（図１０）のＶ字型  （図１１）の逆Ｖ字型  （図１２）の縦２本型  （図１３）の横２本型  （図１４）  のＸ字型  （図１５）の中心１本型に配置して、接着又は縫い合わせて仕立てた女子競泳用の水着。
【考案の詳細な説明】
【考案の詳細な説明】
【考案の利用分野】
【０００１】  この実用新案は、水泳で着用する競泳用水着に関するものである。
【従来の水着構成】
【０００２】  従来、水泳の中でことにスピードが要求される競泳用の水着は、水の抵抗を減らす為にフラットな水泳姿勢で体の体積を縮小する締め付け力が求められるようになった。又、高速水着時代になり足首から手首まで着用する水着まで出てきたので、国際水泳連盟は男子は（図１）（図２）の臍から膝上まで、女子は（図３）肩甲骨から膝上までで袖のあるような水着は禁止された。但し、女子の背中側は（図４）の背開き３でも（図４）の背閉じ（４）でも良いことになった。
この結果、水着形状が標準化されて男子用は（図１）（図２）女子用は（図３）（図４）（図５）のようにに統一されることになった。
これらの市販水着は、伸縮性のある布地の伸びが大きい方向を縦にし、伸びが小さい方向を横にし体の締め付けるために小さめに接着剤や縫製して水着形状に仕立てられている。これを着用する時は、布地を全体に伸ばしながら体を水着に押し込んで締め付けて体を縮小して、その縮小した分だけ水の抵抗を減らすのが主な機能となった。
【本考案が解決しようとする課題】
【０００３】（イ）一般に市販されている水着は、伸縮する布地を用い縦方向と横方向で伸びが相違するので、体を締め付けるために伸びの少ない方向を横方向に配置して作られていた。このために、体全体を均一に筋肉部分も体脂肪部分も締め付けるようになるので、泳ぐ時の筋肉に力が入る時も抜く時も締め付け状態のままとなっていた。このことが筋力を出すとき緩めるときに余分な負荷になり、キック力が損なわれていた。
（ロ）競泳のスピ−ド出すには、足のキック力が重要であり水の抵抗を減らす為に体を締め付けて体積を縮小させて着る水着は、筋肉や体脂肪を押し込んでいるので、筋肉が締め付けっぱなしなのでキック等の筋力を出す時も緩める時も締め付け状態なので過剰の締め付けが邪魔をして、足が動かしにくくなって、キック力が弱くなってしまっていた。
人間の身体特性で、胸部は呼吸によって浮力があるので、泳いでいる時の姿勢は足側が沈みやすいく水平なフラット姿勢が保ちにくかった。又、足側の大腿筋やその裏側のハムストリングスや大臀筋は、締め付け状態のままなので動かしにくく（ロ）のキック力が低下して余計に沈みやすくなっていた。
（ハ）女子用水着の肩吊部は、水泳中の着崩れ防止が目的でデザインされていて肩甲骨から背中の半分位までの狭い背筋の一部に限られていたのでフラット姿勢に矯正する機能にはならなかった。
（ニ）（図４）の女子用水着の背開き（３）部は水着の着用時の着付けでずれたり捩れたりしていた。又、体の締め付けで体脂肪部分が背開き（３）から、はみ出して返って水の抵抗となる部分にもなっていた。
【課題を解決するための手段】
【０００４】（イ）考案は、競泳用の水着が伸縮方向で伸びに大小が有るので、その布地の良く伸びる方向と伸びない方向に短冊状態に切断をし、縦伸びと横伸びをする長いベルトにする。水着の泳ぐ時に使う筋肉部分に配置をして、引っ張ることでフラット姿勢にしたり緩めてキック力を生み出すようにしたものである。  又、ベルトの横幅は、２ｃｍ以下では布地の伸びる量が少なくてベルトを付けた時と殆ど変わらず、筋肉が緩みも少なくキック力を生み出せない。７ｃｍを超えると布地の伸び量が大きくなりすぎて、筋肉を緩める時に締め付け力によるバネの働きを失いキック力が低下をしてしまう。この結果、キック力に水着の伸縮によるバネのような弾性力が生み出せるには、ベルトが２〜７ｃｍの幅が一番効果的で良い結果がえられた。
（ロ）布地の伸びが大きい方向を横向きに変えた足ベルト（１）正面側の大腿筋と背面側の大臀筋とハムストリングスへ配置し接着又は縫い合わせをすると伸びやすいので余分な締め付けを防止できる。キックなど筋力を出す時に太くなるが布地が伸びやすいので、キックが打ちやすくキック力が出てキックを戻す時に伸びた布地が収縮するので、バネの様な働きが生まれて筋力を補助できるようになる。又、足ベルト（１）の横伸びの効果で正面側の大腿筋と背面側の大臀筋とハムストリングスへの余分な過剰の締め付けが無くなり、このことが足側の浮力を生みフラットな姿勢を作ることが出来た。
（ハ）女子用水着の肩吊部は、布地の伸びの大きい方を縦に配置した背中ベルト（２）をかたの肩胛骨から腰の間を１本繋ぎに配置をする。これを着用する時少し引っ張り気味にして、水中の抵抗が低くなるフラットな水泳姿勢に矯正することができる。
（ニ）（図６）の背開き（３）部は、布地の伸びが大きい方を縦に配置した背開きベルト（５）を、（図１０）Ｖ字型  （図１１）逆Ｖ字型  （図１２）縦２本型  （図１３）横２本型  （図１４）Ｘ字型  （図１５）縦太１本型に設置したら捩れや捩れがなくなった。素肌が露出する面積がへり締め付けによる体脂肪の飛び出しがへり、水中の抵抗も低くなった。又、背開きベルト（５）が伸びるように引っ張って着用すると、布地に圧縮力が働くのでフラット姿勢になる。
【作用】
【０００５】  本考案は、男女用水着の足ベルト（１）で泳ぐ時にキック力を増し、足側の浮力によりフラット姿勢や沈み防止が出来る。
女子用水着は、背中ベルト（２）や背開きベルト（５）に働く圧縮力で上半身のフラット姿勢に補正し、余分な体脂肪が出なくなった。
【実施例】
【０００６】  同じ日に同じ学校のプールで、効果を見るために時間計測を男女各４名ずつ得意種目毎泳いでもらった。一般に競泳用で市販をされてる水着で泳いで、３０分間休憩後本考案の水着に着替えてから泳いだ結果を下記にしるしした。
（１）中学２年男子  自由型１００ｍ  一般の市販水着  １分０１秒５７
本考案の水着        ５９秒１３
（２）中学３年男子  背泳  １００ｍ  一般の市販水着  １分１２秒３６
本考案の水着    １分１０秒０２
（３）中学３年男子  平泳ぎ１００ｍ      一般の市販水着  １分１５秒６３
本考案の水着    １分１３秒２８
（４）中学２年男子  バタフライ１００ｍ  一般の市販水着  １分１１秒６３
本考案の水着    １分１０秒２８
（５）中学２年女子  自由型１００ｍ      一般の市販水着  １分０４秒１２
本考案の水着    １分０２秒９１
（６）中学３年女子  背泳  １００ｍ      一般の市販水着  １分１６秒６０
本考案の水着    １分１４秒０２
（７）中学３年女子  平泳ぎ１００ｍ      一般の市販水着  １分１９秒５５
本考案の水着    １分１８秒０１
（８）中学２年女子  バタフライ１００ｍ  一般の市販水着  １分１７秒２３
本考案の水着    １分１５秒８９
【考案の効果】
【０００７】１００ｍで大体１〜２秒早くなる効果が得られた。
泳いだ中学生の感想は、男女共に  足のキックが強く打てる  足の沈みがなくなって体がフラット姿勢に保ちやすい  長時間泳いでも疲れにくい  女子は背中が伸びて着用したときからフラット姿勢になった。
【図面の簡単な説明】
【図１】男子用公認水着の正面図
【図２】男子用公認水着の背面図
【図３】女子用公認水着の正面図
【図４】女子用背開き（３）公認水着の背面図
【図５】女子用背閉じ（４）公認水着の背面図
【図６】本考案の男子用水着の正面図
【図７】本考案の男子用水着の背面図
【図８】本考案の女子用水着の正面図
【図９】本考案の女子用水着の背面図
【図１０】本考案のＶ字型の背開きベルトを配置した女子用水着の背面図
【図１１】本考案の逆Ｖ字型の背開きベルトを配置した女子用水着の背面図
【図１２】本考案の縦２本の背開きベルトを配置した女子用水着の背面図
【図１３】本考案の横２本の背開きベルトを配置した女子用水着の背面図
【図１４】本考案のＸ字型の背開きベルトを配置した女子用水着の背面図
【図１５】本考案の縦太１本型の背開きベルトを配置した女子用水着の背面図
【符号の説明】１  足ベルト
２  背中ベルト
３  背開き
４  背閉じ
５  背開きベルト
【図１】
0003175747.tif 000003
【図２】
0003175747.tif 000004
【図３】
0003175747.tif 000005
【図４】
0003175747.tif 000006
【図５】
0003175747.tif 000007
【図６】
0003175747.tif 000008
【図７】
0003175747.tif 000009
【図８】
0003175747.tif 000010
【図９】
0003175747.tif 000011
【図１０】
0003175747.tif 000012
【図１１】
0003175747.tif 000013
【図１２】
0003175747.tif 000014
【図１３】
0003175747.tif 000015
【図１４】
0003175747.tif 000016
【図１５】
0003175747.tif 000017
【手続補正書】
【提出日】平成23年12月3日(2011.12.3)
【手続補正１】
【補正対象書類名】実用新案登録請求の範囲
【補正対象項目名】全文
【補正方法】変更
【補正の内容】
【実用新案登録請求の範囲】
【請求項１】
下半身前側の左右両足の大腿筋部の膝上迄の筋肉中心部からその延長上の下腹部迄、及び下半身後ろ側は左右両足の大臀部からハムストリングスの膝上迄の筋肉中心部迄に、横幅２〜７ｃｍに切断した足ベルト（１）を配置し、その足ベルト（１）の左右両足の前後両横幅と、大腿筋とハムストリングスの下腹部と大臀部に入った上下部分を接着又は縫い合わせて取り付けた競泳用の水着。前記足ベルト（１）は布地の伸びの大きい方向が横幅方向である。
【請求項２】
背中が開いていない背閉じ（４）と背中が窓状に開いて周囲が閉じた背開き（３）を有し肩吊部を有した女子競泳用の水着であって、前記肩吊部を横２〜７ｃｍに切断し背中ベルト（２）を、肩胛骨から背開き（３）の上側を通し背開き（３）の下側に到る様に配置し、左右一本ずつ取り付ける事で形成し接着又は縫い合わせて取り付けた競泳用の水着。前記背中ベルト（２）は布地の伸びの大きい方向が縦方向である女子競泳用の水着。
【請求項３】
背中が窓状に開いて周囲が閉じた背開き（３）を有した女子競泳用の水着であって、横幅２〜７ｃｍに切断した背開きベルト（５）を、背開き（３）の窓の上側の横幅を３等分に分割した２箇所下側の窓の横幅中心１箇所のＶ字型背開き（３）窓の上側の横幅中心１箇所  窓の下側の横幅を３等分に分割した２箇所の逆Ｖ字型  背開き（３）の窓の左右共に縦幅３等分に分割した左横側２箇所右横側２箇所の横２本型  背開き（３）の上下共に窓の横幅を３等分して上側２箇所下側２箇所の縦２箇所の縦２本型  ２本型を中心で交差させたＸ字型  背開き（３）の上下中心の各１箇所に横幅７ｃｍの太い幅１本型の６パターンの何れかの１パターンを配置し、水着の内側に接着又は縫い合わせて取り付けた女子競泳用の水着。前記布地の伸びの大きい方向が縦方向である女子競泳用の水着。
【手続補正書】
【提出日】平成24年2月22日(2012.2.22)
【手続補正１】
【補正対象書類名】実用新案登録請求の範囲
【補正対象項目名】全文
【補正方法】変更
【補正の内容】
【実用新案登録請求の範囲】
【請求項１】
下半身前側の左右両足の大腿筋部の膝上迄の筋肉中心部からその延長上の下腹部迄、及び下半身後ろ側は左右両足の大臀部からハムストリングスの膝上迄の筋肉中心部迄に、横幅２〜７ｃｍに切断した足ベルト（１）の中心を筋肉の中心に配置し、接着又は縫い合わせて取り付け、前記足ベルト（１）は布地の伸びの大きい方向が横幅方向である男女競泳用の水着。
【請求項２】
背中が窓状に開いて周囲が閉じた背開き（３）を有し肩吊部を有した女子競泳用の水着であって、前記肩吊部を横２〜７ｃｍに切断した背中ベルト（２）を、肩胛骨から背開き（３）の上側を通し背開き（３）の下側に到る様に配置し、左右一本ずつ取り付ける事で形成し、前記背中ベルト（２）を、接着又は縫い合わせて取り付け、前記背中ベルト（２）は布地の伸びの大きい方向が縦方向である女子競泳用の水着。
【請求項３】
背中が窓状に開いて周囲が閉じた背開き（３）を有した女子競泳用の水着であって、横幅２〜７ｃｍに切断した背開きベルト（５）を、背開き（３）の窓の上側の横幅を３等分に分割した２箇所下側の窓の横幅中心１箇所のＶ字型、背開き（３）窓の上側の横幅中心１箇所窓の下側の横幅を３等分に分割した２箇所の逆Ｖ字型、背開き（３）の窓の左右共に縦幅３等分に分割した左横側２箇所右横側２箇所の横２本型、背開き（３）の上下共に窓の横幅を３等分して上側２箇所下側２箇所の縦２箇所の縦２本型、縦２本型を中心で交差させたＸ字型、の５パターンの何れかの１パターンで配置し、水着の内側に接着又は縫い合わせて取り付けるか、又は、横幅７ｃｍに切断した背開きベルト（５）を、背開き（３）の上下中心の各１箇所の１本型、のパターンで配置し、水着の内側に接着又は縫い合わせて取り付け、前記背開きベルト（５）は布地の伸びの大きい方向が縦方向である女子競泳用の水着。